(57)【要約】      （修正有）【課題】冷蔵庫における貯蔵室を最大限に利用するため、引出し式貯蔵室の収納容器を奥まで引き出せるレール機構を備えたり、断熱箱体の天面部後方を凹ませて圧縮機を収容する機械室を設けたりしたために重心が不安定となった冷蔵庫において、転倒しにくく、安定した冷蔵庫を提供する。【解決手段】冷蔵庫の断熱箱体１下部に複数本の調節脚２が設けられた冷蔵庫において、高さ調節機能を持つ調節部２７と転倒防止機能を持つ支え部２８を回動自在に係合することにより調節脚２を構成することにより、冷蔵庫を設置容易に、また、不安定な冷蔵庫でも転倒しにくく安定して設置可能にすることができる。【選択図】図４
2007139256.tif 000002
【特許請求の範囲】
【請求項１】
貯蔵室を形成した断熱箱体と、前記断熱箱体の下部に設置面に対する高さ調節用の複数本の調節脚が設けられた冷蔵庫において、前記調節脚に前記断熱箱体の転倒防止用の支え部を一体に設けたことを特徴とする冷蔵庫。
【請求項２】
断熱箱体下部に設けた複数本の調節脚のうち、少なくとも扉側の調節脚に転倒防止用の支え部を設けたことを特徴とする請求項１に記載の冷蔵庫。
【請求項３】
転倒防止用の支え部と高さ調節用の調節部は同軸心で回動するものであり、調節脚を回転することにより、支え部を断熱箱体が転倒し易い方向に延出し、調節部を上下するようにしたことを特徴とする請求項１または２に記載の冷蔵庫。
【請求項４】
調節脚の上部に高さ調節用の調節部を、下部に転倒防止用の支え部を設けた事を特徴とする請求項３に記載の冷蔵庫。
【請求項５】
調節脚は、転倒防止機能を持つ支え部と高さ調節機能を持つ調節部を独立して操作することができることを特徴とする請求項３または４に記載の冷蔵庫。
【請求項６】
収納容器が庫外に引き出される引出し式貯蔵室を設けたことを特徴とする請求項１に記載の冷蔵庫。
【請求項７】
引出し式貯蔵室に収納容器の全体が庫外に引き出されるレール部材を備えたことを特徴とする請求項６に記載の冷蔵庫。
【請求項８】
断熱箱体の上部に冷凍サイクルの圧縮機を収容する機械室を設けたことを特徴とする請求項１から７のいずれか一項に記載の冷蔵庫。
【発明の詳細な説明】
【技術分野】
【０００１】
本発明は冷蔵庫等における転倒防止機能付き調節脚に関するものである。
【背景技術】
【０００２】
従来、設置された冷蔵庫等の転倒を防止するために、冷蔵庫等の調節脚に転倒防止金具を固定したものがある（例えば、特許文献１参照）。
【０００３】
図９は、業務用冷蔵庫に従来の転倒防止金具を取り付けた状態を示す図である。図１０は、従来の転倒防止金具の取付図である。図１０（イ）は、後側の調節脚に転倒防止金具を取り付ける場合を示し、図１０（ロ）は、前側の調節脚に転倒防止金具を取り付ける場合を示している。
【０００４】
図９において、断熱箱体２０１の上部には機械室２２１が設けられており、冷凍サイクルの構成機器である圧縮機２２２と凝縮器２２３が収まるように配設されている。また、冷凍サイクルの構成機器である蒸発器２２５は冷却ファン２２６と共に断熱箱体２０１内上方に収まるよう配設置されている。断熱箱体２０１の下部には業務用冷蔵庫の設置面に対する高さ調節用の調節脚２０２が設けられており、その調節部２２７には従来の転倒防止金具２２８が取り付けてある。
【０００５】
次に、従来の転倒防止金具２２８について図１０を用いて説明する。
【０００６】
従来の転倒防止金具２２８は、支え部２３５、切込部２３６、取付部２３７、締付部２３８から成っており、取付部２３７および締付部２３８には、それぞれボルト孔２３９，２４０が設けられている。この転倒防止金具２２８を業務用冷蔵庫に取り付ける際は、あらかじめ業務用冷蔵庫下部の調節脚２０２に回動可能に設けられた調節部２２７を調節する事により業務用冷蔵庫のすわりを良くした後、調節部２２７に支え部２３５と締付部２３８を挟んで配設、ボルト孔２３９，２４０にボルトを通し、ナット２４１をねじ込むことにより締め付け固定する。この時、冷蔵庫が転倒しやすい方向に支え部２３５が伸びるようにして固定する。取り付けられる転倒防止金具２２８の取付部２３７および締付部２３８の高さは調節された調節脚２０２の調節部２２７の高さに合わせて選定される。
【０００７】
このように、冷凍サイクルが上方に配設された冷蔵庫は業務用冷蔵庫に関わらず、冷蔵庫の重心が高くなり転倒しやすくなり、また、重心が高いほど冷蔵庫の傾きや外力による冷蔵庫の傾斜に対して少ない傾斜角度で転倒する可能性が大きくなる。特に、扉を開けたりした状態では冷蔵庫の重心は前方へ移動することになり冷蔵庫は転倒しやすくなるので、冷蔵庫の転倒を防止するために従来の転倒防止金具２２８が使用されている。
【特許文献１】特開平１１−１３７３５９号公報
【発明の開示】
【発明が解決しようとする課題】
【０００８】
しかしながら、上記従来の冷蔵庫は、調節脚によって冷蔵庫の設置面に対する高さ調節を行うことにより冷蔵庫のすわりを良くした後に転倒防止金具を取付けなければならない上、転倒防止金具の取付部や締付部の高さを冷蔵庫の調節脚の調節部の高さにあわせて選定する必要があるなど手間がかかるという問題があった。また、支え部の金具、締付部の金具、ボルト、ナットなど、従来の転倒防止金具を取付ける際に必要となる部品点数が多いという問題があった。
【０００９】
本発明は、上記従来の課題を解決するもので、冷蔵庫の調節脚に転倒防止用の支え部を一体に設けたことにより、部品点数が少なく、手間がかからず容易に設置できる冷蔵庫を提供することを目的とする。
【課題を解決するための手段】
【００１０】
上記従来の課題を解決するために、本発明の冷蔵庫は、貯蔵室を形成した断熱箱体の下部に設置面に対する高さ調節用の複数本の調節脚に転倒防止用の支え部を一体に設けたことを特徴としたものである。
【００１１】
これによって、冷蔵庫の高さを調節する機能と転倒防止の機能の両方を冷蔵庫の調節脚に備えることができ、設置が容易で転倒することが無く、非常に安定した冷蔵庫を得ることができる。
【発明の効果】
【００１２】
本発明の冷蔵庫は、冷蔵庫を設置する際に冷蔵庫の調節脚に転倒防止用の平板を取り付ける必要が無く、手間がかからず、非常に安定した冷蔵庫を提供することができる。
【発明を実施するための最良の形態】
【００１３】
請求項１に記載の発明は、貯蔵室を形成した断熱箱体の下部に設置面に対する高さ調節用の複数本の調節脚が設けられた冷蔵庫において、前記調節脚に前記断熱箱体の転倒防止用の支え部を一体に設けることにより、冷蔵庫の設置面に対する高さ調節脚に、高さ調節機能と転倒防止機能の両方を備えることとなり、冷蔵庫を設置する際に転倒防止用の道具を新たに取り付ける必要性を無くすことができる。
【００１４】
請求項２に記載の発明は、請求項１に記載の発明の冷蔵庫の断熱箱体下部に設けた複数本の調節脚のうち、少なくとも扉側の調節脚に転倒防止用の支え部を設けることにより、少なくとも冷蔵庫の扉を開けたことにより重心が前方へ移動した場合の転倒の可能性を防止することとなり、冷蔵庫の前方への転倒に対する安定性を向上することができる。
【００１５】
請求項３に記載の発明は、請求項１または２に記載の発明の冷蔵庫の調節脚を転倒防止用の支え部と高さ調節用の調節部が同軸心で回動するもので、調節脚を回転することにより、支え部を断熱箱体が転倒し易い方向に延出し、調節部を上下するようにすることにより、調節脚の支え部および調節部のどちらも、調節脚を回転することにより調節を行うことができることとなり、冷蔵庫における転倒防止機能および高さ調節機能の調節および冷蔵庫の設置を大変容易に行うことができる。
【００１６】
請求項４に記載の発明は、請求項３に記載の発明の冷蔵庫の調節脚の上部に高さ調節用の調節部を、下部に転倒防止用の支え部を設けることにより、冷蔵庫の設置面と調節脚の転倒防止用の支え部が接することとなり、冷蔵庫の転倒に対する安定性を向上することができる。
【００１７】
請求項５に記載の発明は、請求項３または４に記載の発明の冷蔵庫の調節脚を転倒防止機能を持つ支え部と高さ調節機能を持つ調節部を独立して操作することができるようにすることにより、調節脚の支え部と調節部の調節を細かく行えることとなり、冷蔵庫の転倒に対する安定性をより向上することができる。
【００１８】
請求項６に記載の発明は、請求項１に記載の発明の冷蔵庫を収納容器が庫外に引き出される引出し式の貯蔵室とすることにより、貯蔵室を引き出した時に冷蔵庫の重心が前方に移動するため、冷蔵庫は転倒し易くなるが、冷蔵庫の調節脚に転倒防止用の支え部を設けてあるので冷蔵庫が転倒するのを防止することができることとなり、貯蔵室の開閉による重心の移動による冷蔵庫の転倒の可能性を気にすること無く、安心して冷蔵庫を使用することができる。
【００１９】
請求項７に記載の発明は、請求項６に記載の発明の冷蔵庫を引出し式の貯蔵室の収納容器の全体が庫外に引き出されるレール機構を備えたものとすることにより、貯蔵室全体を引き出す事で冷蔵庫の重心が前方に大きく移動するため、冷蔵庫は大変転倒し易くなるが、冷蔵庫の調節脚に転倒防止用の支え部を設けてあるので冷蔵庫が転倒するのを防止することができることとなり、貯蔵室全体を引き出したことによる重心の移動による冷蔵庫の転倒の可能性を気にすること無く、安心して冷蔵庫を使用することができる。
【００２０】
請求項８に記載の発明は、請求項１から７のいずれか一項に記載の発明の冷蔵庫を断熱箱体の上部に冷凍サイクルの圧縮機を収容する機械室を設けたものとすることにより、冷蔵庫の重心が高くなるため、冷蔵庫は転倒し易くなり、また、重心が高いほど冷蔵庫の傾きや外力による冷蔵庫の傾斜に対して少ない傾斜角度で冷蔵庫が転倒する可能性が高くなるが、冷蔵庫の調節脚に転倒防止用の支え部を設けてあるので冷蔵庫が転倒するのを防止することができることとなり、冷蔵庫の重心の高さを気にすること無く安心して冷蔵庫を使用することができる。
【００２１】
以下、本発明の実施の形態について、図面を参照しながら説明する。なお、この実施の形態によってこの発明が限定されるものではない。
【００２２】
（実施の形態１）
図１は本発明の実施の形態１における冷蔵庫の概略縦断面図、図２は同実施の形態における冷蔵庫のレール部材の分解図、図３は同実施の形態における冷蔵庫のレール部材の断面図、図４は同実施の形態における冷蔵庫の調節脚の斜視図、図５は同実施の形態における冷蔵庫の調節脚の縦断面図である。
【００２３】
図１から図５において、断熱箱体１は下部に設けられた複数本の調節脚２によって支えられている。断熱箱体１は内箱３と外箱４との間に発泡断熱材５を充填したものであり、仕切壁により複数の断熱区画に区分されており、冷蔵室６、切替室７、野菜室８、冷凍室９などの貯蔵室を構成している。各断熱区画にはそれぞれ断熱扉が設けられており、上から回転扉式開閉扉１０、引出し式開閉扉１１，１２，１３となっている。回転式開閉扉１０には扉ポケット１４が収納として設けられており、庫内には複数の収納棚１５，１６，１７が取り外し自在に設けられている。
【００２４】
断熱箱体１の断熱面には真空断熱材が配設してある。
【００２５】
野菜室８と冷凍室９は上下に隣接しており、それぞれ前面を引出し式開閉扉１２，１３にて閉塞され、更に引出し式開閉扉１２，１３とそれぞれレール部材１８にて連結されることにより、前後方向に引き出し摺動可能な引出し式貯蔵室となっている。レール部材１８は、固定レール１８ａと、移動レール１８ｂと、固定レール１８ａと移動レール１８ｂの間に備えられた中間走行レール１８ｃと固定レール１８ａおよび移動レール１８ｂとの係合を支持する回転支持部材である複数のベアリング１８ｄとからなり、固定レール１８ａと移動レール１８ｂと中間走行レール１８ｃとベアリング１８ｄとを予め組み込んだ状態で固定レール１８ａを断熱箱体１の内箱３の両側壁面に固定し、移動レール１８ｂを上下に隣接し、引出し式開閉扉に連結固定されている。各貯蔵室の収納容器１９，２０は、レール部材１８を内箱３に固定後にレール部材１８の移動レール１８ｂに支持し、引出し式開閉扉１２，１３を前後方向に引き出すのと同期して移動レール１８ｂと共に前後に移動し、更に各引出し式開閉扉１２，１３を少なくとも全開した時に収納容器１９，２０は上方向に着脱自在となっている。
【００２６】
断熱箱体１の外部には背面下部方向に向かって機械室２１が設けられている。この機械室２１には、冷凍サイクルの構成機器である圧縮機２２と凝縮機（図示せず）が空気を通風する送風機（図示せず）と共に配置されている。また、冷凍サイクルの構成機器である蒸発器２５は貯蔵室の後背部に冷却ファン（図示せず）と共に配設されている。
【００２７】
次に冷蔵庫の調節脚２の詳細について説明する。調節脚２は調節部２７と支え部２８から構成されており、調節部２７はネジ部２９と回転部３０を、支え部２８は係合部３１と平板部３２から成る。調節部２７の回転部３０下部には係止溝３３が設けられており、支え部２８の係合部３１には爪３４が設けられている。この係止溝３３と爪３４とにより、調節脚２の調節部２７と支え部２８は同軸心で回転自在に係合している。
【００２８】
以上のような構成の冷蔵庫について、以下その動作、作用を説明する。
【００２９】
庫内の設定温度に応じて制御基板（図示せず）からの信号により冷凍サイクルが動作して冷却運転が行われる。圧縮機２２の動作により吐出された高温高圧の冷媒は、凝縮器（図示せず）にて放熱されて液化し、その後、熱交換しながら減圧されて低温低圧の液冷媒となって蒸発器２５にいたる。冷却ファン（図示せず）により庫内の空気と熱交換され、蒸発器２５内の冷媒は蒸発気化する。その際発生する低温の冷気をダンパ（図示せず）などで分配し、各室の冷却を行う。蒸発器２５を出た冷媒は圧縮機２２へと吸い込まれる。このような運転を繰り返すことにより、圧縮機２２や凝縮器（図示せず）は高温となり、庫内各貯蔵室は低温となる。
【００３０】
この時の温度の低下は、断熱箱体１の断熱性能により決まる。一般的に冷蔵庫で使用されている硬質ウレタンフォームと比べ、真空断熱材は断熱性能が５倍から１０倍に向上するので、壁厚を増加させることなく、温度の侵入を防止することができる。
【００３１】
さらに、真空断熱材は薄く、平板状であり、平面度が高いため、薄壁断熱壁を有する断熱箱体への適用が容易となり、冷蔵庫の内容積の拡大に対して有利となっている。
【００３２】
冷蔵庫のレール部材１８は、各貯蔵室のドアを手前に引き出すことにより両側部に備えられたレール部材１８の移動レール１８ｂと中間走行レール１８ｃとがベアリング１８ｄが回転することにより滑らかに手前側に摺動する。それに伴い、レール部材１８に支持された収納容器１９，２０も手前に引き出され、収納容器１９，２０内に収納された被冷却物の取り出し及び新たな被冷却物の収納が可能となる。
【００３３】
また、レール部材１８は中間走行レール１８ｃを備えることにより、移動レール１８ｂの引出し代を大きくすることができるので、収納容器１９，２０の奥部まで引き出す事ができ、収納容器１９，２０の奥部まで見渡す事が可能となる。これにより、収納容器１９，２０内の被冷却物の使い忘れを防止したり、収納容器１９，２０をレール部材１８に着脱することが容易となるので使い勝手の向上を図ることができる。
【００３４】
以上のように、冷蔵庫の各貯蔵室にレール部材１８を備えることにより、各貯蔵室の引き出し代が大きくなり、食品の出し入れや貯蔵している食品の視認性に優れた冷蔵庫となるが、食品の入った貯蔵室を手前に大きく引き出す事により、冷蔵庫の重心が前方に移動することとなり、冷蔵庫が転倒し易く、使用者にとって大変危険となってしまう。従って、冷蔵庫が転倒しないようにする技術が必要となる。
【００３５】
そこで、本実施の形態１における冷蔵庫は、調節脚２に、一般的な調節脚の機能である高さ調節用の調節部２７と、冷蔵庫の転倒を防止する機能をもつ支え部２８を同軸心で回動するように一体に設けた。それにより、設置するのが容易で安定した冷蔵庫を得ることができる。
【００３６】
冷蔵庫の設置方法について具体的に説明する。冷蔵庫を設置する際、冷蔵庫が転倒し易い方向に平板部３２が冷蔵庫本体よりも延在するように、冷蔵庫の調節脚２の支え部２８の平板部３２を回転させる。平板部３２を回転させ、冷蔵庫の転倒し易い方向に延在することにより、冷蔵庫が傾いた場合でも支え部２８の平板部３２が床面にあたって冷蔵庫本体を支持することとなり、冷蔵庫は転倒しにくくなる。調節部２７と支え部２８は同軸心で回動でき、またそれぞれ独立して操作することが可能なため、調節脚２の支え部２８を調節した後、調節脚２の調節部２７の回転部３０を左右に回転することにより、冷蔵庫がより安定するよう、調節脚２を上下に調節することができ、冷蔵庫のすわりがより安定することとなる。
【００３７】
冷蔵庫の調節脚２における調節部２７と支え部２８は回転自在であるため、冷蔵庫を運搬する際には平板部３２が邪魔にならないよう支え部２８を回転し、冷蔵庫の下部内側方向に平板部３２を向けておくことができ、冷蔵庫を設置する際に平板部３２を冷蔵庫が転倒し易い方向へ向けることができる。また、平板部３２の向きは自在に変更可能なため、冷蔵庫の設置場所にあわせて平板部３２の方向を調節することができる。従って、冷蔵庫を運搬する際に邪魔にならず、転倒防止機能の調節が簡単な冷蔵庫が得られることとなる。
【００３８】
つまり、本実施の形態１における冷蔵庫は、貯蔵室にレール部材１８を備えたことにより、開閉がなめらかで、貯蔵室の引き出し代が大きく、奥部まで見やすい貯蔵室を実現したため、冷蔵庫本体の重心が前方に移動する、大変不安定な構成となってしまっているが、冷蔵庫の調節脚２に調節部２７および支え部２８を同軸心で回動し、それぞれ独立して操作可能に設けたことにより、使用者にとって使い勝手が良く、更に、設置が容易で転倒しにくい冷蔵庫となっている。
【００３９】
また、本実施の形態１では、冷蔵庫の調節脚２のうち、転倒防止機能つきの調節脚２を扉側の２本としたが、これは引出し式貯蔵室に収納容器の全体が庫外に引き出されるレール部材１８を用いたために引出し式貯蔵室を開けた際、冷蔵庫の重心が前に移動するため、冷蔵庫が前方に転倒する可能性が高くなるためである。しかしながら、調節脚すべてに転倒防止機能がついた場合、いっそう安定した冷蔵庫が得られることとなることは言うまでもない。
【００４０】
（実施の形態２）
図６は本発明の実施の形態２における冷蔵庫の概略縦断面図、図７は同実施の形態における冷蔵庫の調節脚の斜視図、図８は同実施の形態における冷蔵庫の調節脚の縦断面図である。
【００４１】
以下、図６に基づき本実施の形態について説明する。図６において、断熱箱体１０１は下部に設けられた複数本の調節脚１０２によって支えられている。断熱箱体１０１は内箱１０３と外箱１０４との間に発泡断熱材１０５を充填したものであり、仕切壁により複数の断熱区画に区分されており、冷蔵室１０６、野菜室１０８、冷凍室１０９などの貯蔵室を構成している。各断熱区画にはそれぞれ断熱扉が設けられており、上から観音開き式開閉扉１１０、引き出し式開閉扉１１２，１１３となっている。観音開き式開閉扉１１０には扉ポケット１１４が収納として設けられており、庫内には複数の収納棚１１５，１１６，１１７が取り外し自在に設けられている。
【００４２】
断熱箱体１０１の外側天部には背面後方に向かって凹部が機械室１２１として設けられている。凹部の庫内に相当する位置は凸部となっている。この機械室１２１には冷凍サイクルの構成機器である圧縮機１２２と凝縮器（図示せず）が空気を通風する送風機（図示せず）と共に配置され、カバー部材１２４によって覆われている。
【００４３】
また、冷凍サイクルの構成機器である蒸発器１２５は野菜室１０８の後背部に冷却ファン１２６と共に配設されている。これにより、冷凍室１０９の内容積を大きく、深い設計とすることが可能である。なお、野菜室１０８および冷凍室１０９を逆の構成にすることも可能である。また、蒸発器１２５および冷却ファン１２６を野菜室１０８から冷凍室１０９の後背部にかけて設けることにより、両方の引き出しの容積と奥行きを大きくすることも可能である。
【００４４】
断熱箱体１０１の断熱面には真空断熱材が配設してある。
【００４５】
次に冷蔵庫の調節脚１０２の詳細について説明する。調節脚１０２は調節部１２７と支え部１２８から構成されており、調節部１２７はネジ部１２９と回転部１３０を、支え部１２８は係合部１３１と平板部１３２から成る。調節部１２７の回転部１３０下部には係止溝１３３が設けられており、支え部１２８の係合部１３１には爪１３４が設けられている。この係止溝１３３と爪１３４とにより、調節脚１０２の調節部１２７と支え部１２８は同軸心で回転自在に係合している。
【００４６】
以上のような構成の冷蔵庫について、以下その動作、作用を説明する。
【００４７】
庫内の設定温度に応じて制御基板（図示せず）からの信号により冷凍サイクルが動作して冷却運転が行われる。圧縮機１２２の動作により吐出された高温高圧の冷媒は、凝縮器（図示せず）にて放熱されて液化し、その後、熱交換しながら減圧されて低温低圧の液冷媒となって蒸発器１２５にいたる。冷却ファン１２６により庫内の空気と熱交換され、蒸発器１２５の冷媒は蒸発気化する。その際発生する低温の冷気をダンパ（図示せず）などで分配し、各室の冷却を行う。蒸発器１２５を出た冷媒は圧縮機１２２へと吸い込まれる。このような運転を繰り返すことにより、圧縮機１２２や凝縮器（図示せず）は高温となり、庫内各貯蔵室は低温となる。
【００４８】
この時の温度の低下は、断熱箱体１０１の断熱性能により決まる。一般的に冷蔵庫で使用されている硬質ウレタンフォームと比べ、真空断熱材は断熱性能が５倍から１０倍に向上するので、壁厚を増加させることなく、温度の侵入を防止することができる。
【００４９】
さらに、真空断熱材は薄く、平板状であり、平面度が高いため、薄壁断熱壁を有する断熱箱体への適用が容易となり、冷蔵庫の内容積の拡大に対して有利となっている。
【００５０】
冷蔵庫の機械室１２１は、断熱箱体１０１の外側天部に背面後方に向かって凹んで設けたことにより、冷蔵庫内部の冷蔵室１０６内部上方の奥部が凸部となる。従って、使用者にとって見えにくく、使い勝手の悪い収納棚１１５の上方奥の部分を無くすことができる。また、機械室１２１を冷蔵庫の下部でなく、上部へ設置したことにより、冷蔵庫の最下部の貯蔵室の内容積を大きく、深くできるため、使用者にとって非常に使いやすい冷蔵庫を提供することができる。
【００５１】
以上のような冷蔵庫において、冷蔵庫の天部後方に機械室１２１を設けたことにより、使用者にとって非常に使い勝手の良い冷蔵庫を提供することができるが、重い圧縮機を冷蔵庫の天部後方に収容することにより、冷蔵庫の重心が天部後方となり、冷蔵庫が転倒し易く、使用者にとって大変危険となってしまう。従って、冷蔵庫が転倒しないようにする技術が必要となる。
【００５２】
そこで、本実施の形態２における冷蔵庫は、調節脚１０２に、一般的な調節脚１０２の機能である高さ調節用の調節部１２７と、冷蔵庫の転倒を防止する機能をもつ支え部１２８を一体に設けた。それにより、設置するのが容易で、安定した冷蔵庫を得ることができる。
【００５３】
冷蔵庫の設置方法について具体的に説明する。冷蔵庫を設置する際、冷蔵庫が転倒し易い方向に平板部１３２が冷蔵庫本体よりも延在するように、冷蔵庫の調節脚１０２の支え部１２８の平板部１３２を回転させる。平板部１３２を回転させ、冷蔵庫の転倒し易い方向に延在することにより、冷蔵庫が傾いた場合でも支え部１２８の平板部１３２が床面にあたって冷蔵庫本体を支持することとなり、冷蔵庫は転倒しにくくなる。調節部１２７と支え部１２８は同軸心で回動でき、またそれぞれ独立して操作することが可能なため、調節脚２０２の支え部１２８を調節した後、調節脚１０２の調節部１２７の回転部１３０を左右に回転することにより、冷蔵庫がより安定するよう、調節脚１０２を上下に調節することができ、冷蔵庫のすわりがより安定することとなる。
【００５４】
冷蔵庫の調節脚１０２における調節部１２７と支え部１２８は回転自在であるため、冷蔵庫を運搬する際には平板部１３２が邪魔にならないよう支え部１２８を回転し、冷蔵庫の下部内側方向に平板部１３２を向けておくことができ、冷蔵庫を設置する際に平板部１３２を冷蔵庫が転倒し易い方向へ向けることができる。また、平板部１３２の向きは自在に変更可能なため、冷蔵庫の設置場所にあわせて平板部１３２の方向を調節することができる。従って、冷蔵庫を運搬する際に邪魔にならず、転倒防止機能の調節が簡単な冷蔵庫が得られることとなる。
【００５５】
つまり、本実施の形態２における冷蔵庫は、圧縮機１２２などを収容する機械室１２１を冷蔵庫の天部後方に設けたことにより、使い勝手のよい冷蔵室、および、内容積が大きく、深い貯蔵室を実現したが、冷蔵庫本体の重心が天部後方となり、大変不安定な構成となってしまっているが、冷蔵庫の調節脚１０２に調節部１２７および支え部１２８を同軸心で回動し、それぞれ独立して操作可能に設けたことにより、使用者にとって使い勝手が良く、更に、設置が容易で転倒しにくい冷蔵庫となっている。
【００５６】
また、本実施の形態２では、冷蔵庫の最上段の貯蔵室の扉を観音開き式開閉扉としたが、これは冷蔵庫の扉を開閉する際に冷蔵庫が受ける衝撃が少なく、転倒する恐れが少ないからである。しかしながら、本発明の冷蔵庫は調節脚に転倒防止機能がついており、安定した冷蔵庫が得られるため、片開きの回転式開閉扉を使用した冷蔵庫であっても、転倒しにくい冷蔵庫を得ることとなる。
【産業上の利用可能性】
【００５７】
以上のように、本発明の冷蔵庫は、使用者にとって使い勝手が良い冷蔵庫を提供するために不安定な冷蔵庫となってしまっても、調節脚に調節機能および転倒防止機能の両方を備えているため、設置が容易で非常に安定した冷蔵庫を提供することができるので、業務用の大型冷蔵庫および冷凍庫やショーケースといった冷凍機器にも適用することができる。
【図面の簡単な説明】
【００５８】
【図１】本発明の実施の形態１における冷蔵庫の概略縦断面図
【図２】同実施の形態における冷蔵庫のレール部材の分解図
【図３】同実施の形態における冷蔵庫のレール部材の断面図
【図４】同実施の形態における冷蔵庫の調節脚の斜視図
【図５】同実施の形態における冷蔵庫の調節脚の縦断面図
【図６】本発明の実施の形態２における冷蔵庫の概略縦断面図
【図７】同実施の形態における冷蔵庫の調節脚の斜視図
【図８】同実施の形態における冷蔵庫の調節脚の縦断面図
【図９】従来の転倒防止金具を取り付けた状態を示す図
【図１０】（イ）従来の転倒防止金具を後側の調節脚に取り付けた状態を示す図（ロ）従来の転倒防止金具を前側の調節脚に取り付けた状態を示す図
【符号の説明】
【００５９】
１，１０１  断熱箱体
２，１０２  調節脚
１８  レール部材
１９，２０  収納容器
２１，１２１  機械室
２２，１２２  圧縮機
２７，１２７  調節部
２８，１２８  支え部
【図１】
2007139256.tif 000003
【図２】
2007139256.tif 000004
【図３】
2007139256.tif 000005
【図４】
2007139256.tif 000006
【図５】
2007139256.tif 000007
【図６】
2007139256.tif 000008
【図７】
2007139256.tif 000009
【図８】
2007139256.tif 000010
【図９】
2007139256.tif 000011
【図１０】
2007139256.tif 000012